(57)【要約】【課題】緊急時に座体のみを引き出して、簡単に移動ベッドとして使用し得るようにする。【解決手段】左右１対の脚体３，３間に配置される座体２における四隅部の脚杆１４の下端にキャスタ１３を設けることにより、座体２を、両脚体３間においてソファー座として使用する位置から、前方に引き出して移動ベッドとして使用し得るようにする。【選択図】  図２
2004248802.tif 000002
【特許請求の範囲】
【請求項１】
左右に離間する脚体と、該両脚体間に配置される座体と、背もたれと、を備えるソファーにおいて、
前記座体の下面の少なくとも四隅部にキャスタを設けることにより、前記座体を、前記両脚体間においてソファー座として使用する位置から、前方に引き出して移動ベッドとして使用し得るようにしたことを特徴とするソファー。
【請求項２】
両脚体の内側面に、座体の左右両側部を受支して前後方向に案内するレール部材を設けた請求項１に記載のソファー。
【請求項３】
座体の左右両側部に、少なくとも前後１対のガイドローラを、レール部材に沿って転動し得るように設けた請求項２に記載のソファー。
【請求項４】
両脚体の内側面と座体の両側面との間に、座体をソファー座として使用する位置に停止させ、前方への移動を規制する停止手段を設けた請求項１ないし３のいずれかに記載のソファー。
【請求項５】
停止手段が、レール部材の上端面の前後部に設けた段部と、座体の両側面に突設され、前記両段部と係脱しうる１対のピン又はローラとからなるものである請求項４に記載のソファー。
【請求項６】
停止手段が、座体の両側部に下方より左右方向に操作可能に設けられ、付勢手段により先端部が常時座体の外側方に突出させられるようにした係止ピンと、脚体の内側面に設けられた前記係止ピンが出没可能に嵌合する係合孔とからなるものである請求項４に記載のソファー。
【請求項７】
座体を移動ベッドとして使用する際の患者固定用のベルトを、座体の下面に格納可能として設けた請求項１ないし６のいずれかに記載のソファー。
【請求項８】
座体を移動ベッドとして使用する際の引手部材を、座体の下面に格納可能として設けた請求項１ないし７のいずれかに記載のソファー。
【請求項９】
座体の後部に、イルリーガルスタンド立設用の保持孔を設けた請求項１ないし８のいずれかに記載のソファー。
【発明の詳細な説明】
【０００１】
【発明の属する技術分野】
本発明は、座体を移動ベッドとしても使用し得るようにしたソファーに関する。
【０００２】
【従来の技術】
従来、座部の後部に背もたれを着脱自在に取付けることにより、ベッドをソファーとして、又はソファーをベッドとして使用し得るようにしたものがある（例えば特許文献１〜３参照）。
【０００３】
【特許文献１】
実開昭５２−１３４４０５号公報
【特許文献２】
実開昭６３−４１２５３号公報
【特許文献３】
実開昭５９−１８９５６７号公報
【０００４】
【発明が解決しようとする課題】
上記特許文献１〜３に記載されている従来のものは、いずれも、ベッドが大型で、かつ簡単に移動できない構成となっているため、ホテルや公共施設等のロビーや病院等の待合室等に設置して、緊急時に移動ベッドとして使用することはできない。
【０００５】
本発明は、上記問題点を解決するためになされたもので、緊急時に座体のみを引き出して、簡単に移動ベッドとして使用することができるようにしたソファーを提供することを目的としている。
【０００６】
【課題を解決するための手段】
上記目的を達成するために、本発明のソファーは、左右に離間する脚体と、該両脚体間に配置される座体と、背もたれと、を備えるソファーにおいて、
前記座体の下面の少なくとも四隅部にキャスタを設けることにより、前記座体を、前記両脚体間においてソファー座として使用する位置から、前方に引き出して移動ベッドとして使用し得るようにしたことを特徴としている。
上記構成の本発明によると、座体のみを引き出して簡単に移動ベッドとして使用し得るので、緊急時に患者を迅速に搬送することができる。
【０００７】
上記ソファーにおいて、両脚体の内側面に、座体の左右両側部を受支して前後方向に案内するレール部材を設けるのが好ましい。
このようにすると、座体の出し入れを安定的に、かつ容易に行うことができる。
【０００８】
上記ソファーにおいて、座体の左右両側部に、少なくとも前後１対のガイドローラを、レール部材に沿って転動し得るように設けるのが好ましい。
このようにすると、座体の出し入れ時の摺動摩擦抵抗が小さくなるので、重量のある座体でも円滑に出し入れできる。
【０００９】
上記ソファーにおいて、両脚体の内側面と座体の両側面との間に、座体をソファー座として使用する位置に停止させ、前方への移動を規制する停止手段を設けるのが好ましい。
このようにすると、座体が妄りに前方に移動するのが防止されるので、安全である。
【００１０】
上記ソファーにおいて、停止手段が、レール部材の上端面の前後部に設けた段部と、座体の両側面に突設され、前記両段部と係脱しうる１対のピン又はローラとからなるものであるのが好ましい。
このようにすると、座体を両脚体間に押し入れるだけで、簡単に前方への移動が規制され、かつ座体を強く前方に引っ張ると、段部よりピン又はローラが離脱するため、座体の引き出しが容易となる。
【００１１】
上記ソファーにおいて、停止手段が、座体の両側部に下方より左右方向に操作可能に設けられ、付勢手段により先端部が常時座体の外側方に突出させられるようにした係止ピンと、脚体の内側面に設けられた前記係止ピンが出没可能に嵌合する係合孔とからなるものであるのが好ましい。
このようにすると、座体を両脚体間に確実に停止させることができる。
【００１２】
上記ソファーにおいて、座体を移動ベッドとして使用する際の患者固定用のベルトを、座体の下面に格納可能として設けるのが好ましい。
このようにすると、患者を安全に搬送することができる。
【００１３】
上記ソファーにおいて、座体を移動ベッドとして使用する際の引手部材を、座体の下面に格納可能として設けるのが好ましい。
このようにすると、座体を移動ベッドとして簡単に移動することができる。
【００１４】
上記ソファーにおいて、座体の後部に、イルリーガルスタンド立設用の保持孔を設けるのが好ましい。
このようにすると、点滴が必要とされる患者でも、少ない人員で安全に搬送することができる。
【００１５】
【発明の実施の形態】
以下、本発明の実施形態を図面に基づいて説明する。
【００１６】
図１は本発明のソファーの斜視図、図２は、座体を引き出した状態の斜視図を示すもので、ソファー１は、左右方向に長い座体２と、左右１対の肘掛けを兼ねる側面視方形をなす脚体３，３と、背もたれ４とからなっている。
【００１７】
両脚体３の内側面と背もたれ４の後面は、前後方向を向く左右１対のサイドフレーム５と、それらの後端部間に溶接等により固着された背フレーム６（図３参照）とからなる平面視前向きコ字状のフレーム７に固定されている。
【００１８】
両サイドフレーム５は、図３に拡大して示すように（左右対称であるため左方のみ図示する）、脚体３の内側面に固定される垂直の基片５ａと、その下端に連設された内向水平片５ｂと、該内向水平片５ａの内端より起立するレール片５ｃとからなり、正面視ほぼ上向きコ字状に形成されている。
【００１９】
レール片５ｃは、その上端により、後記する座体２の両側部に突設したガイドピン１５を案内するためのもので、前後の端部には、前後のガイドピン１５を停止するための低寸のストッパ段部８，８が形成されている。両ストッパ段部８と連続する前後両端部上面は、円弧状の傾斜面９，９とされ、中央部上面の平坦面１０と連なっている。
【００２０】
上記座体２は、左右寸法が両脚体３間の寸法より若干小をなすとともに、前後寸法が脚体３の前後寸法より若干小とした矩形枠状の座フレーム１１の上面に、それとほぼ同じ大きさの矩形をなすクッション１２を取付けて構成されている。座フレーム１１の四隅部には、下端にストッパ機構付きのキャスタ１３が取付けられた脚杆１４が、下向きに一体的に突設されている。
【００２１】
座体２の後端面が背フレーム６の前面と当接するまで、両脚体３間に押し入れたとき、図１に示すように、座体２の前端面と両脚体３の前面とがほぼ同一面となるとともに、背もたれ４の下面とクッション１２の後端部上面とが殆ど隙間なく接触するようになっている。座フレーム１１の左右両側面には、遊端が拡径頭部となっている前後１対のガイドピン１５が突設されている。
【００２２】
左右のガイドピン１５は、図３に示すように、前述した左右のレール片５ｃの上端により受支されて摺動するようになっており、かつ前後のガイドピン１５の離間寸法は、レール片５ｃに形成された前後のストッパ段部８，８間の寸法とほぼ等しくしてある。
【００２３】
座体２を両脚体３間に押し入れると、後部側のガイドピン１５がレール片５ｃの上端と摺接しながら後端部まで移動し、後部側のストッパ段部８に達すると、前部側のガイドピン１５が前部側のストッパ段部８に位置する。
【００２４】
これにより、座体２は前後方向に移動するのが規制され、座体２をソファー座として使用することができる。
【００２５】
なお、前後のガイドピン１５が前後のストッパ段部８に位置しているときには、各キャスタ１３は接床し、座体２に加わる荷重がレール片５ｃに直接作用しないようにしてある。
【００２６】
図１のソファーとしての使用状態から、座体２を強く前方に引っ張ると、後部側のガイドピン１５が後部側の傾斜面９に乗り上がって前方に摺動することにより、図２に示すように、座体２を前方に引き出し、緊急時の移動ベッドとして使用することができる。
【００２７】
座体２の左右の中間部には、これを移動ベッドとして使用する際に、患者の胸部付近と両脚の中間部付近を固定するための前後２本ずつの固定ベルト１６が、面ファスナ等により端部同士を着脱可能に止着し得るように設けられ、各固定ベルト１６は、不使用時において座体２の下面に設けた収納箱又は保持手段（図示略）に折り畳んで格納し得るようになっている。
【００２８】
また、座体２における座フレーム１１の左側面には、移動用引手ベルト１７が取付けられ、この引手ベルト１７も、不使用時には折り畳むなどして座体２の下面に格納しておくことができるようになっている。１８は、座体２の左後方の隅部に設けられた、イルリーガルスタンド（図示略）立設用の保持孔である。
【００２９】
以上説明したように、上記実施形態のソファー１においては、これを、ホテルや公共施設のロビー、病院の待合室等に設置しておくことにより、緊急時に座体２のみを引き出して、移動ベッドとして使用することができ、これに患者を寝かせて迅速かつ安全に搬送することができる。
【００３０】
本発明は、上記実施形態に限定されるものではなく、種々の形態をとり得る。
【００３１】
例えば、座体２に突設したガイドピン１５に代えて、図４に示すように、回転自在な溝付ガイドローラ１９としてもよい。このようにすると、レール片５ｃとの摺動摩擦抵抗が大幅に小さくなるので、座体２の出し入れを円滑に行うことができる。
【００３２】
上記実施形態では、座体２の前方への移動を規制する停止手段を、レール片５ｃの前後部に設けたストッパ段部８と、座体２の側面に突設した前後１対のガイドピン１５とからなるものとしたが、図５に示すような停止手段を用いることもできる。
【００３３】
すなわち、座体２の座フレーム１１における両側面の前端部に、圧縮コイルばね２０により常時外側方に付勢された係止ピン２１を、その内端に設けた操作つまみ２２により、左右方向に操作可能に設けるとともに、左右の脚体３における前端部の内側面に、上記係止ピン２１の先端部が出没可能に勘合しうる係合孔２３を設けておく。
【００３４】
座体２を、両脚体３間に最奥部まで押し入れたとき、係止ピン２１の先端部が係合孔２３に嵌合することにより、座体２の前方への移動が阻止され、操作つまみ２２を矢印方向に引っ張ると、座体２は前方へ移動可能となって引き出すことができる。
【００３５】
レール片５ｃの上端を平坦面とし、その上端の前後部に、なだらかに凹入する凹状段部を設け、この凹状段部に、上記ガイドピン１５又は溝付ガイドローラ１９を落とし込むことにより、座体２の前方への移動を規制するようにしてもよい。
【００３６】
【発明の効果】
本発明によれば、次のような効果を奏することができる。
【００３７】
（ａ）請求項１項に記載の発明によれば、座体のみを引き出して簡単に移動ベッドとして使用し得るので、緊急時に患者を迅速に搬送することができる。
【００３８】
（ｂ）請求項２項に記載の発明によれば、座体の出し入れを、安定的に、かつ容易に行うことができる。
【００３９】
（ｃ）請求項３項に記載の発明によれば、座体の出し入れ時の摺動摩擦抵抗が小さくなるので、重量のある座体でも円滑に出し入れすることができる。
【００４０】
（ｄ）請求項４項に記載の発明によれば、座体が妄りに前方に移動するのが防止されるので、安全である。
【００４１】
（ｅ）請求項５に記載の発明によれば、座体を両脚体間に押し入れるだけで、座体側のピン又はローラがレール部材の段部に係止されて、簡単に前方への移動が規制されるとともに、座体を強く前方に引くだけで、段部よりピン又はローラが離脱して、座体を容易に引き出すことができる。
【００４２】
（ｆ）請求項６に記載の発明によれば、座体を両脚体間の所定位置に確実に停止させることができるとともに、係止ピンを内側方に引いて係合孔より離脱させることにより、座体を前方に引き出すことができる。
【００４３】
（ｇ）請求項７に記載の発明によれば、患者をベルトにより固定して安全に搬送することができる。
【００４４】
（ｈ）請求項８に記載の発明によれば、座体を移動ベッドとして、引手部材を引きながら容易に移動することができる。
【００４５】
（ｉ）請求項９に記載の発明によれば、点滴が必要とされる患者でも、最小限の人員で安全に搬送することができる。
【図面の簡単な説明】
【図１】本発明のソファーの斜視図である。
【図２】同じく、座体を前方に引き出した状態の斜視図である。
【図３】同じく、座体の左側部とサイドフレームとの拡大斜視図である。
【図４】同じく、座体のガイドピンをガイドローラとした変形例を示す座体の左側部とサイドフレームとの拡大斜視図である。
【図５】停止手段の変形例を示す要部の拡大縦断正面図である。
【符号の説明】
１                    ソファー
２                    座体
３                    脚体
４                    背もたれ
５                    サイドフレーム
５ａ                  基片
５ｂ                  内向水平片
５ｃ                  レール片（レール部材）
６                    背フレーム
７                    フレーム
８                    ストッパ段部
９                    傾斜面
１０                  平坦面
１１                  座フレーム
１２                  クッション
１３                  キャスタ
１４                  脚杆
１５                  ガイドピン
１６                  固定ベルト
１７                  引手ベルト（引手部材）
１８                  保持孔
１９                  溝付ガイドローラ
２０                  圧縮コイルばね（付勢手段）
２１                  係止ピン
２２                  操作つまみ
２３                  係合孔
【図１】
2004248802.tif 000003
【図２】
2004248802.tif 000004
【図３】
2004248802.tif 000005
【図４】
2004248802.tif 000006
【図５】
2004248802.tif 000007